(57)【要約】      （修正有）【課題】特殊な暗線パターンを有し、パネルの暗状態の透過率を低下させコントラストを高める表示パネルを提供する。【解決手段】複数の副画素を有する第一基板と、第一基板上に位置されると共にこれら副画素に対応する少なくとも２つ以上の異なる方向の配向方向を有する第一光配向層と、副画素にそれぞれ対応する複数の金属パッドとを備える。光線がこれら副画素を通過すると、表示パネルには暗線パターンが表示され、暗線パターンは、第一光配向層中の異なる方向の配向の境界箇所に位置される第一メイン暗線５１と、金属パッド及び第一メイン暗線に対応する金属パッドパターン５２１、５２２とを含む。第一メイン暗線の側辺と金属パッドパターンの同側の側辺との距離差値は第一偏移量Ｄ１であり、第一メイン暗線の他の側辺と金属パッドパターンの同側の側辺との距離差値は第二偏移量Ｄ２であり、第一偏移量は第二偏移量とは異なる値である。【選択図】図６
2016114936.tif 000002
【特許請求の範囲】
【請求項１】
複数の画素ユニットを有し、これら前記画素ユニットは複数の副画素をそれぞれ有する第一基板と、
前記第一基板に対向して設置される第二基板と、
前記画素ユニット上に位置され、前記副画素に対応する少なくとも２つ以上の異なる方向の配向方向を有する第一光配向層と、
前記第一基板と前記第二基板との間に設置される液晶層と、
前記第一基板上に設置されると共に凸部をそれぞれ有し、且つ前記副画素にそれぞれ対応する複数の金属パッドとを備え、
ここでは、光線がこれら前記副画素を通過すると、前記表示パネルには暗線パターンが表示され、
前記暗線パターンは、前記第一光配向層の異なる方向に配向される境界箇所に位置されると共に第一方向に向けて延伸され、その対応する二側辺は、第二方向の断面線上に第一メイン暗線境界点及び第二メイン暗線境界点を有し、前記第二方向及び前記第一方向は、垂直になる第一メイン暗線と、前記第一メイン暗線に対応し、且つ前記第一方向に延伸される第一凸部パターンを有し、前記第一凸部パターンは前記凸部に対応し、前記第一凸部パターンの対応する二側辺は、前記第二方向の他の断面線上に第一金属パッドパターン暗線境界点及び第二金属パッドパターン暗線境界点を有し、且つ前記第一金属パッドパターン暗線境界点は、前記第一メイン暗線境界点に対して隣接され、前記第二金属パッドパターン暗線境界点は、前記第二メイン暗線境界点に対して隣接される金属パッドパターンと、をさらに含み、
また、前記第一メイン暗線境界点及び前記第一金属パッドパターン暗線境界点を基準として、前記第一方向の延伸線に沿った距離差値を第一偏移量とし、前記第二メイン暗線境界点及び前記第二金属パッドパターン暗線境界点を基準として、前記第一方向の延伸線に沿った距離差値を第二偏移量とした時に、前記第一偏移量は、前記第二偏移量とは異なることを特徴とする表示パネル。
【請求項２】
前記画素ユニットは、赤色画素の第一副画素と、青色画素の第二副画素と、緑色画素の第三副画素とを備え、且つ前記赤色画素の第一偏移量或いは第二偏移量は、前記青色画素の第一偏移量或いは第二偏移量より大きいことを特徴とする、請求項１に記載の表示パネル。
【請求項３】
前記画素ユニットは、赤色画素の第一副画素と、青色画素の第二副画素と、緑色画素の第三副画素とを備え、且つ前記赤色画素の第一偏移量或いは第二偏移量は、前記緑色画素の第一偏移量或いは第二偏移量より大きいことを特徴とする、請求項１に記載の表示パネル。
【請求項４】
前記画素ユニットは、黄色画素の第四副画素をさらに備え、且つ前記赤色画素の第一偏移量或いは第二偏移量は、前記黄色画素の第一偏移量或いは第二偏移量より大きいことを特徴とする、請求項２に記載の表示パネル。
【請求項５】
前記画素ユニットは、黄色画素の第四副画素をさらに備え、且つ前記赤色画素の第一偏移量或いは第二偏移量は、前記黄色画素の第一偏移量或いは第二偏移量より大きいことを特徴とする、請求項３に記載の表示パネル。
【請求項６】
前記副画素に対応する前記金属パッドパターンは、それぞれ十字型パターン、Ｔ字型パターン或いはＬ字型パターンであることを特徴とする、請求項１に記載の表示パネル。
【請求項７】
少なくとも１つの副画素に対応する前記金属パッドパターンは、第二凸部パターンをさらに有し、前記第二方向に向けて延伸されることを特徴とする、請求項１に記載の表示パネル。
【請求項８】
前記副画素に対応する前記金属パッドパターンは、さらに第二凸部パターンをそれぞれ有し、前記第二方向に向けて延伸されることを特徴とする、請求項７に記載の表示パネル。
【請求項９】
前記副画素中の前記金属パッドパターンは、前記副画素の５〜１５％の面積をそれぞれ占めることを特徴とする、請求項１に記載の表示パネル。
【請求項１０】
前記画素ユニットに位置される第二光配向層をさらに備え、前記第一光配向層は、前記第一方向と同じ配向方向及び前記第一方向と反対の配向方向を有し、前記第二光配向層は、前記第二方向と同じ配向方向及び前記第二方向と反対の配向方向を有することを特徴とする、請求項１に記載の表示パネル。
【請求項１１】
複数の画素ユニットを有し、前記画素ユニットは、複数の副画素をそれぞれ有する第一基板と、
前記第一基板に対向して設置される第二基板と、
前記画素ユニット上に位置され、且つ前記副画素に対応する少なくとも２つ以上の異なる方向の配向方向を有する第一光配向層と、
前記第一基板と前記第二基板との間に設置される液晶層と、
前記第一基板上に設置されると共に凸部をそれぞれ有し、且つ前記副画素にそれぞれ対応する複数の金属パッドとを備え、
ここでは、光線がこれら前記副画素を通過すると、前記表示パネルには暗線パターンが表示され、前記暗線パターンは、前記第一光配向層中の異なる方向の配向の境界箇所に位置されると共に第一方向に向けて延伸され、且つ前記第一方向に沿って延伸される対応し合う第一側辺及び第二側辺を有する第一メイン暗線と、前記第一メイン暗線に対応し、且つ前記第一方向に向けて延伸される第一凸部パターンを有し、前記第一凸部パターンは、前記凸部に対応すると共に前記第一方向に沿って延伸される対応し合う第三側辺及び第四側辺を有し、前記第三側辺は、前記第一側辺に対して隣接され、前記第四側辺は、前記第二側辺に対して隣接され、且つ前記第一側辺及び前記第三側辺の第二方向上の第一距離は、前記第二側辺及び前記第四側辺の前記第二方向上の第二距離とは異なり、前記第二方向及び前記第一方向は垂直になる金属パッドパターンと、を含むことを特徴とする表示パネル。
【請求項１２】
前記画素ユニットは、赤色画素の第一副画素と、青色画素の第二副画素と、緑色画素の第三副画素とを備え、且つ前記赤色画素の第一距離或いは第二距離は、前記青色画素の第一距離或いは第二距離より大きいことを特徴とする、請求項１１に記載の表示パネル。
【請求項１３】
前記画素ユニットは、赤色画素の第一副画素と、青色画素の第二副画素と、緑色画素の第三副画素とを備え、且つ前記赤色画素の第一距離或いは第二距離は、前記緑色画素の第一距離或いは第二距離より大きいことを特徴とする、請求項１１に記載の表示パネル。
【請求項１４】
前記画素ユニットは、黄色画素の第四副画素をさらに備え、且つ前記赤色画素の第一距離或いは第二距離は、前記黄色画素の第一距離或いは第二距離より大きいことを特徴とする、請求項１２に記載の表示パネル。
【請求項１５】
前記画素ユニットは、黄色画素の第四副画素をさらに備え、且つ前記赤色画素の第一距離或いは第二距離は、前記黄色画素の第一距離或いは第二距離より大きいことを特徴とする、請求項１３に記載の表示パネル。
【請求項１６】
前記副画素に対応する前記金属パッドパターンは、それぞれ十字型パターン、Ｔ字型パターン或いはＬ字型パターンであることを特徴とする、請求項１１に記載の表示パネル。
【請求項１７】
少なくとも１つの副画素に対応する前記金属パッドパターンは、第二凸部パターンをさらに有し、前記第二方向に向けて延伸されることを特徴とする、請求項１１に記載の表示パネル。
【請求項１８】
前記副画素に対応する前記金属パッドパターンは、さらに第二凸部パターンをそれぞれ有し、前記第二方向に向けて延伸されることを特徴とする、請求項１７に記載の表示パネル。
【請求項１９】
前記副画素中の前記金属パッドパターンは、前記副画素の５〜１５％の面積をそれぞれ占めることを特徴とする、請求項１１に記載の表示パネル。
【請求項２０】
前記画素ユニット上に位置される第二光配向層をさらに備え、前記第一光配向層は、前記第一方向と同じ配向方向及び前記第一方向と反対の配向方向を有し、前記第二光配向層は、前記第二方向と同じ配向方向及び前記第二方向と反対の配向方向を有することを特徴とする、請求項１１に記載の表示パネル。
【発明の詳細な説明】
【技術分野】
【０００１】
本発明は、特殊な暗線パターンを有し、パネルの暗状態の透過率を低下させ、コントラストを高める表示パネルに関する。
【背景技術】
【０００２】
表示器技術の不断の進歩に伴い、あらゆる装置が小型化、薄型化、軽量化等を目指して発展しており、現在市場で主流の表示器装置も陰極線管から液晶表示装置へと発展した。特に、液晶表示装置が応用される分野は非常に広く、例えば、日常生活で使用される携帯電話、ノートパソコン、ビデオカメラ、カメラ、音楽プレーヤー、ナビゲーション装置、テレビ等の表示装置では、その多くが液晶表示パネルを使用している。
そして、現在、よくある液晶表示装置は、主に液晶層が２つの電極の間に挟まれ、電圧を利用して液晶層間の液晶分子の傾倒を制御し、液晶パネルの下方に設置されるバックライトモジュールが発する光が液晶層を透過させるか透過させないことで、表示の目的を達成させる。また、画素の定義により、異なる色を表示させる目的を達成させる。
【発明の概要】
【発明が解決しようとする課題】
【０００３】
しかしながら、液晶表示パネルの発展過程において、高解像度の表示パネルの時代が到来し、パネルの透過率も表示パネルの表示品質に係る重要な要素の１つとなっている。
そこで、本発明者は従来の表示パネルの透過率などの欠点が改善可能と考え、鋭意検討を重ねた結果、合理的設計で上記の課題を効果的に改善する本発明の提案に到った。
【０００４】
本発明は、以上の従来技術の課題を解決する為になされたものである。即ち、本発明は、特殊な暗線パターンを有し、パネルの暗状態の透過率を低下させ、コントラストを高める表示パネルを提供することを主目的とする。
【課題を解決するための手段】
【０００５】
上述した課題を解決し、上記目的を達成するための本発明は、本発明に係る表示パネルは、複数の画素ユニットを有し、これら画素ユニットは複数の副画素をそれぞれ有する第一基板と、第一基板に対向して設置される第二基板と、これら画素ユニット上に位置され、これら副画素に対応する少なくとも２つ以上の異なる方向の配向方向を有する第一光配向層と、第一基板と第二基板との間に設置される液晶層と、第一基板上に設置されると共に凸部をそれぞれ有し、且つこれら副画素にそれぞれ対応する複数の金属パッドとを備えている。
そして、ここでは、光線がこれら副画素を通過すると、表示パネルには暗線パターンが表示され、暗線パターンは、第一光配向層の異なる方向に配向される境界箇所に位置されると共に第一方向に向けて延伸され、その対応する二側辺は第二方向の断面線上に第一メイン暗線境界点及び第二メイン暗線境界点を有し、第二方向及び第一方向は垂直になる第一メイン暗線と、第一メイン暗線に対応し、且つ第一方向に延伸される第一凸部パターンを有し、第一凸部パターンは凸部に対応し、第一凸部パターンの対応する二側辺は第二方向の他の断面線上に第一金属パッドパターン暗線境界点及び第二金属パッドパターン暗線境界点を有し、且つ第一金属パッドパターン暗線境界点は第一メイン暗線境界点に対して隣接され、第二金属パッドパターン暗線境界点は第二メイン暗線境界点に対して隣接される金属パッドパターンとをさらに含み、また、第一メイン暗線境界点及び第一金属パッドパターン暗線境界点を基準として第一方向の延伸線に沿った距離差値を第一偏移量とし、第二メイン暗線境界点及び第二金属パッドパターン暗線境界点を基準として第一方向の延伸線に沿った距離差値を第二偏移量とし、第一偏移量は第二偏移量とは異なることを特徴とする。
【０００６】
また、本発明の実施態様による表示パネルにおいて、これら画素ユニットは赤色画素の第一副画素と、青色画素の第二副画素と、緑色画素の第三副画素とを備え、且つ赤色画素の第一偏移量或いは第二偏移量は、青色画素の第一偏移量或いは第二偏移量より大きいことが好ましい。
【０００７】
また、本発明の実施態様による表示パネルにおいて、これら画素ユニットは、赤色画素の第一副画素と、青色画素の第二副画素と、緑色画素の第三副画素とを備え、且つ赤色画素の第一偏移量或いは第二偏移量は、緑色画素の第一偏移量或いは第二偏移量より大きいことが好ましい。
【０００８】
また、本発明の実施態様による表示パネルにおいて、これら画素ユニットは、黄色画素の第四副画素をさらに備え、且つ赤色画素の第一偏移量或いは第二偏移量は、黄色画素の第一偏移量或いは第二偏移量より大きいことが好ましい。
【０００９】
また、本発明の実施態様による表示パネルにおいて、これら副画素に対応する金属パッドパターンは、それぞれ十字型パターン、Ｔ字型パターン(an uppercase T shape)或いはＬ字型パターン(an uppercase L shape)であることが好ましい。
【００１０】
また、本発明の実施態様による表示パネルにおいて、少なくとも１つの副画素に対応する金属パッドパターンは、第二凸部パターンをさらに有し、第二方向に向けて延伸されていることが好ましい。
【００１１】
また、本発明の実施態様による表示パネルにおいて、これら副画素に対応する金属パッドパターンは、さらに第二凸部パターンをそれぞれ有し、第二方向に向けて延伸されていることが好ましい。
【００１２】
また、本発明の実施態様による表示パネルにおいて、これら副画素中の金属パッドパターンは、副画素の５〜１５％の面積をそれぞれ占めることが好ましい。
【００１３】
また、本発明に係る表示パネルは、これら画素ユニットに位置される第二光配向層をさらに備え、第一光配向層は、第一方向と同じ配向方向及び第一方向と反対の配向方向を有し、第二光配向層は、第二方向と同じ配向方向及び第二方向と反対の配向方向を有することが好ましい。
【００１４】
また、本発明の他の表示パネルは、複数の画素ユニットを有し、これら画素ユニットは、複数の副画素をそれぞれ有する第一基板と、第一基板に対向して設置される第二基板と、これら画素ユニット上に位置され、且つこれら副画素に対応する少なくとも２つ以上の異なる方向の配向方向を有する第一光配向層と、第一基板と第二基板との間に設置される液晶層と、第一基板上に設置されると共に凸部をそれぞれ有し、且つこれら副画素にそれぞれ対応する複数の金属パッドとを備えている。
そして、ここでは、光線がこれら副画素を通過すると、表示パネルには暗線パターンが表示され、暗線パターンは、第一光配向層中の異なる方向配向の境界箇所に位置されると共に第一方向に向けて延伸され、且つ第一方向に沿って延伸される対応し合う第一側辺及び第二側辺を有する第一メイン暗線と、第一メイン暗線に対応し、且つ第一方向に向けて延伸される第一凸部パターンを有し、第一凸部パターンは凸部に対応すると共に第一方向に沿って延伸される対応し合う第三側辺及び第四側辺を有し、第三側辺は第一側辺に対して隣接され、第四側辺は第二側辺に対して隣接され、且つ第一側辺及び第三側辺の第二方向上の第一距離は、第二側辺及び第四側辺の第二方向上の第二距離とは異なり、第二方向及び第一方向は垂直になる金属パッドパターンとを含むことを特徴とする。
【００１５】
また、本発明の実施態様による表示パネルにおいて、これら画素ユニットは、赤色画素の第一副画素と、青色画素の第二副画素と、緑色画素の第三副画素とを備え、且つ赤色画素の第一距離或いは第二距離は、青色画素の第一距離或いは第二距離より大きいことが好ましい。
【００１６】
また、本発明の実施態様による表示パネルにおいて、これら画素ユニットは、赤色画素の第一副画素と、青色画素の第二副画素と、緑色画素の第三副画素とを備え、且つ赤色画素の第一距離或いは第二距離は、緑色画素の第一距離或いは第二距離より大きいことが好ましい。
【００１７】
また、本発明の実施態様による表示パネルにおいて、これら画素ユニットは、黄色画素の第四副画素をさらに備え、且つ赤色画素の第一距離或いは第二距離は、黄色画素の第一距離或いは第二距離より大きいことが好ましい。
【００１８】
本発明の実施態様による表示パネルにおいて、これら副画素に対応する金属パッドパターンは、それぞれ十字型パターン、Ｔ字型パターン或いはＬ字型パターンであることが好ましい。
【００１９】
本発明の実施態様による表示パネルにおいて、少なくとも１つの副画素に対応する金属パッドパターンは、第二凸部パターンをさらに有し、第二方向に向けて延伸されることが好ましい。
【００２０】
本発明の実施態様による表示パネルにおいて、これら副画素に対応する金属パッドパターンは、さらに第二凸部パターンをそれぞれ有し、第二方向に向けて延伸されることが好ましい。
【００２１】
本発明の実施態様による表示パネルにおいて、これら副画素中の金属パッドパターンは、副画素の５〜１５％の面積をそれぞれ占めることが好ましい。
【００２２】
本発明の表示パネルは、これら画素ユニット上に位置される第二光配向層をさらに備え、第一光配向層は、第一方向と同じ配向方向及び第一方向と反対の配向方向を有し、第二光配向層は、第二方向と同じ配向方向及び第二方向と反対の配向方向を有することが好ましい。
【００２３】
以上のとおり、本発明に係る表示パネルは第一基板上に設置される凸部を有する金属パッドにより、光線が副画素を通過する場合は対応して第一凸部パターンを有する金属パッドパターンが発生するため、光線が副画素を未通過の場合は暗状態を表示し、表示パネルの輝度がより低下し、これにより、暗状態のコントラストを高めて、表示パネル全体のコントラストを向上させることができる。
また、第一／第二偏移量或いは第一／第二距離を調整することで、副画素の色度をさらに改変させ、表示パネルを寒色系或いは暖色系に調整することができる。
【発明の効果】
【００２４】
本発明によれば、暗状態の透過率を低下させてコントラストの向上を達成することができる。
【図面の簡単な説明】
【００２５】
【図１】図１（ａ）〜（ｂ）は、それぞれ本発明の好ましい実施形態に係る表示装置を示す概念図である。
【図２】図２（ａ）〜（ｂ）は、それぞれ本発明の好ましい実施形態の薄膜トランジスタ基板を示す概念図である。
【図３】図３（ａ）〜（ｂ）は、それぞれ図２（ａ）の断面線Ａ−Ａ‘に沿ってなる薄膜トランジスタ基板及び図２（ｂ）の断面線Ｂ−Ｂ‘に沿ってなる薄膜トランジスタ基板を示す断面の概念図である。
【図４】図４（ａ）〜（ｂ）は、それぞれ本発明の好ましい実施形態に係る第一光配向層の配列及び第二光配向層の配列を示す概念図である。
【図５】本発明の好ましい実施形態の暗線パターンを示す概念図である。
【図６】本発明の好ましい実施形態の暗線パターンを示す拡大図である。
【図７】図７（ａ）〜（ｄ）は、それぞれ本発明の第１実施形態の表示パネルの赤、緑、青、黄の副画素において、第一メイン暗線と金属パッドパターンの輝度測定の結果図である。
【図８】図８（ａ）〜（ｄ）は、それぞれ本発明の第２実施形態の表示パネルの赤、緑、青、黄の副画素において、第一メイン暗線と金属パッドパターンの透過率測定の結果図である。
【図９】図９（ａ）〜（ｄ）は、それぞれ本発明の第３実施形態の表示パネルの赤、緑、青、黄の副画素において、第一メイン暗線と金属パッドパターンの輝度測定の結果図である。
【図１０】図１０は、本発明の各比較例の薄膜トランジスタ基板を示す概念図である。
【図１１】図１１は、本発明の第１実施形態と比較例の表示パネルのコントラスト値測定の結果図である。
【図１２】図１２（ａ）〜（ｂ）は、それぞれ本発明の他の好ましい実施形態の暗線パターンを示す拡大図である。
【発明を実施するための形態】
【００２６】
以下に、特定の具体的実施例を通じて本発明の実施形態を説明するが、本発明の属する技術分野の技術者は、本明細書で開示される内容から簡単に本発明その他の利点と効果を理解できる。本発明もその他異なる具体的実施例を通じて実施或いは運用できる。また、本明細書内の各細部に異なる見解と応用について、本発明の要旨を逸脱することなく様々な変更や修正を加えることができる。
【００２７】
図１（ａ）は、本発明の好ましい実施形態に係る表示装置を示す断面の概念図である。本実施形態に係る表示装置は、表示パネル１０と、表示パネル１０の下方に設置され、表示パネル１０を透過させる光線を提供するバックライトモジュール２０とを備える。
【００２８】
まず、図１（ｂ）を参照しながら本実施形態の表示パネルを説明する。
本実施形態の表示パネルは、上方に第一光配向層１２が設置される第一基板１と、第一基板１に対向して設置されると共に上方に第二光配向層２１が設置され、且つ第二光配向層２１は第一光配向層１２に対向して設置される第二基板２と、第一基板１と第二基板２との間に設けられると共に第一基板１及び第二基板２の外周囲に設けられるシーラント剤５と、第一基板１及び第二基板２により形成される空間に設置される液晶層３とを備える。
かかる実施形態では、薄膜トランジスタユニット(図示せず)は、第一基板１上に設置されると共に、カラーフィルター層(図示せず)は、第二基板２上に設置され、故に、第一基板１は薄膜トランジスタ基板であり、第二基板２はカラーフィルター基板である。
ただし、他の実施形態では、カラーフィルター層(図示せず)が第一基板１上に設置され、故に、第一基板１はカラーフィルターアレイが統合された薄膜トランジスタ基板(color filter on array、COA)である。
次に、本実施形態の第一基板１上の構造を詳述する。
【００２９】
図２（ａ）は，本発明の好ましい実施形態の薄膜トランジスタ基板を示す概念図であり、図３（ａ）は，本発明の好ましい実施形態の薄膜トランジスタ基板を示す断面の概念図である。
薄膜トランジスタ基板は、上方に走査線１１１と、資料線１１２と、薄膜トランジスタユニット１１３と、画素電極１１５と、保存電極１１４とが設置される第一基板１を備えている。
ここでは、各画素電極１１５は隣接する２つの走査線１１１及び隣接する２つの資料線１１２の間に設置されて副画素となる。
図２（ａ）では、表示パネルのいずれか１つの画素ユニットを示し、４つの副画素を備える。然しながら、他の実施形態では、画素ユニットは４つの副画素を備えるのみならず、例えば３つの副画素を備えてもよい。
本実施形態によると、副画素は、薄膜トランジスタユニット１１３と、画素電極１１５と、保存電極１１４とを含み、且つ画素電極１１５は接触孔１１３７を透過して薄膜トランジスタユニット１１３に電気的に接続される。
このほか、副画素では、保存電極１１４は、第一基板１上に設置されると共に十字型構造を有する金属パッド１１４ａを具備し、金属パッド１１４ａは、凸部１１４１を有する。
【００３０】
図２（ａ）及び図３（ａ）に示すように、本実施形態に係る薄膜トランジスタ基板の準備過程においては、まず、第一基板１上にゲート１１３１及び走査線１１１が形成される。
その後、基板１１、ゲート１１３１及び走査線１１１上に絶縁層１１３２(ゲート絶縁層とも呼ばれる)が形成され、続いて、ゲート１１３１の上方に半導体層１１３３が形成される。
次に、半導体層１１３３上にソース１１３４及びドレイン１１３５が形成され、同時に、絶縁層１１３２上に資料線１１２が形成されて、本実施形態による資料線１１２、走査線１１１及び薄膜トランジスタユニット１１３の準備が完了する。
最後に、接触孔１１３７を有する保護層１１３６が形成され、保護層１１３６及び接触孔１１３７中に画素電極１１５が形成されて、本実施形態に係る薄膜トランジスタ基板の準備が完了する。
【００３１】
また、ゲート１１３１、走査線１１１、ソース１１３４、ドレイン１１３５及び資料線１１２には、本技術分野で常用される導電材料が使用され、例えば、金属、合金、金属酸化物、金属窒素酸化物、或いは他の本技術分野で常用される電極材料が使用される。
また、好ましくは金属材料であるが、ただし本発明はこれに制限されない。
本案のゲート線、走査線及び電極等は、単一の材料層に制限されず、複数の材料が堆積される複合層構造が用いられてもよい。
このほか、第一基板１及び第二基板２は本技術分野で常用される基材材料により製造され、例えば、ガラス、プラスチック、可撓性材質等である。
絶縁層１１３２及び保護層１１３６は、本技術分野で常用される絶縁層材料で製造される。
半導体層１１３３は、本技術分野で常用される半導体材料で製造される。
画素電極１１５は、本技術分野で常用される透明導電電極材料(例えば、ＩＴＯ、ＩＺＯ或いはＩＴＺＯ)で製造される。
【００３２】
また、図２（ｂ）及び図３（ｂ）は、本発明の他の好ましい実施形態の表示パネルの薄膜トランジスタ基板を示す概念図である。
かかる薄膜トランジスタ基板構造は、図２（ａ）及び図３（ａ）と同じであり、本実施形態に係る薄膜トランジスタユニット１１３のドレイン１１３５が、保存電極１１４に向けて延伸され、接触孔１１３７が保存電極１１４に対応する以外、本実施形態では、ドレイン１１３５が十字型構造を有する金属パッド１１４ａをさらに備え、金属パッド１１４ａが凸部１１４１を有している。
【００３３】
なお、図１（ｂ）、図３（ａ）及び図３（ｂ）に示すように、薄膜トランジスタ基板上には、第一光配向層１２がさらに設置され、且つ第二基板２上には、第二光配向層２１がさらに設置される（図１（ｂ）参照）。
副画素中の第一光配向層１２及び第二光配向層２１の配向方向の概念図は、図４（ａ）及び図４（ｂ）にそれぞれ示す。
図４（ａ）によれば、第一光配向層１２は、第一方向Ｙと同じ配向方向及び第一方向Ｙと反対の配向方向を有する。
また、図４（ｂ）によれば、第二光配向層２１は、第二方向Ｘと同じ配向方向及び第二方向Ｘと反対の配向方向を有する。
【００３４】
これにより、画素電極(図示せず)に施される電圧を制御することで、パネルが明暗状態を呈する（図１及び図５参照）。
そして、明状態では、図１のバックライトモジュール２０が発する光線が、副画素Ｐ１、副画素Ｐ２、副画素Ｐ３、及び副画素Ｐ４を通過すると、第一光配向層１２及び第二光配向層２１の配向方向が、交互に作用することで、両者の間に位置される液晶の回転方向に影響を与え、表示パネルには図５に示すような卍字型の暗線パターンが表示される。
図４（ａ）及び図５に示すように、暗線パターンは、第一光配向層１２中の異なる方向の配向の境界箇所に位置されると共に第一方向Ｙに向けて延伸される第一メイン暗線５１及び金属パッドパターン５２を備える。
図２（ａ）及び図２（ｂ）の金属パッド１１４ａは、第一メイン暗線５１に対応し、金属パッドパターン５２は、第一方向Ｙに向けて延伸される第一凸部パターン５２１を有し、第一凸部パターン５２１は金属パッド１１４ａの凸部１１４１に対応する。
このほか、金属パッドパターン５２は、第二方向Ｘに向けて延伸される第二凸部パターン５２２をさらに有する。
また、これら副画素Ｐ１、副画素Ｐ２、副画素Ｐ３、及び副画素Ｐ４中の金属パッドパターン５２は、副画素の５〜１５％の面積をそれぞれ占めることが好ましい。
【００３５】
図６は、本実施形態の単一の副画素の拡大図であり、第一メイン暗線５１は第一方向Ｙに沿って延伸される対応し合う第一側辺５１ａ及び第二側辺５１ｂを有している。
第一メイン暗線５１の対応し合う第一側辺５１ａ及び第二側辺５１ｂは、第二方向Ｘの断面線上に第一メイン暗線境界点５１１及び第二メイン暗線境界点５１２を有し、第二方向Ｘ及び第一方向Ｙは垂直になる。
このほか、金属パッドパターン５２の第一凸部パターン５２１は、第一方向Ｙに沿って延伸される対応し合う第三側辺５２ａ及び第四側辺５２ｂを有し、第三側辺５２ａは第一側辺５１ａに対して隣接され、第四側辺５２ｂは、第二側辺５１ｂに対して隣接される。
第一凸部パターン５２１の対応し合う第三側辺５２ａ及び第四側辺５２ｂは、第二方向Ｘの他の断面線上に第一金属パッドパターン暗線境界点５２３及び第二金属パッドパターン暗線境界点５２４を有し、且つ第二金属パッドパターン暗線境界点５２４は、第一メイン暗線境界点５１１に対して隣接され、第二金属パッドパターン暗線境界点５２４は第二メイン暗線境界点５１２に対して隣接されている。
【００３６】
第一側辺５１ａ及び第三側辺５２ａの延伸線の第二方向Ｘ上の第一距離Ｄ１は、第二側辺５１ｂ及び第四側辺５２ｂの第二方向Ｘ上の第二距離Ｄ２とは異なる。
換言すれば、第一メイン暗線境界点５１１及び第一金属パッドパターン暗線境界点５２３を基準として、第一方向Ｙに沿った延伸線の距離差値は第一偏移量であり(即ち、第一距離Ｄ１に示す)、第二メイン暗線境界点５１２及び第二金属パッドパターン暗線境界点５２４を基準として、第一方向Ｙに沿った延伸線の距離差値は、第二偏移量であり(即ち、第二距離Ｄ２に示す)、第一偏移量は、第二偏移量とは異なる値である。
換言すれば、第一メイン暗線５１の対応し合う第一側辺５１ａ及び第二側辺５１ｂの第二方向Ｘの断面線と第一凸部パターン５２１の対応し合う第三側辺５２ａ及び第四側辺５２ｂの第二方向Ｘの他の断面線とが重合する場合、すなわち、重なり合う場合、第一メイン暗線境界点５１１と第一金属パッドパターン暗線境界点５２３との間が重合した後の距離が第一偏移量であり、第二メイン暗線境界点５１２と第二金属パッドパターン暗線境界点５２４との間が重合した後の距離が、第二偏移量であり、且つ第一偏移量は、第二偏移量とは異なっている。
【００３７】
第一偏移量及び第二偏移量をより精確に定義する場合、第一メイン暗線５１及び金属パッドパターン５２の半値幅により定義することができる。
いわゆる「半値幅（full width at half maximum）」とは、最も近い暗線の中心の谷の第一ピーク値からトラフ値の半分を引いた箇所が対応して得られる幅であり、暗線の波形はこの幅の下では対応し合う２つの境界点を発生させる。
これにより、いわゆる第一メイン暗線境界点５１１、第二メイン暗線境界点５１２、第一金属パッドパターン暗線境界点５２３及び第二金属パッドパターン暗線境界点５２４が定義される。
また、暗線波形の測定は、表示パネルに白色の画面が表示され、最大輝度の下で、ＣＣＤを使用して影像画面を区切り、影像画面の中心の暗線のグレースケールの変化を数値化して読み取って分析すると共に波形図を作成し、且つグレースケールの数値にノイズがある場合、フーリエ変換或いは移動平均等の方法によりノイズをフィルタリングする。
【実施形態】
【００３８】
第１実施形態
図７（ａ）から図７（ｄ）は、本発明の第１実施形態の表示パネルの赤、緑、青、黄の副画素において、第一メイン暗線と金属パッドパターンの輝度測定の結果図である。
薄膜トランジスタ基板構造は、図２（ｂ）に示してあり、前述の暗線波形の測定方法により測定を行う。Ｘ軸が指す相対位置は、金属パッドパターン５２の第一凸部パターン５２１及び第一メイン暗線５１の図６における第二方向Ｘ上での位置を指す。
より詳しくは、図７（ａ）を例にすると、図６の金属パッドパターン５２の第一凸部パターン５２１の断面線の最も左辺の開始端が図７（ａ）のＸ軸の相対位置１に対応し、図６の第一メイン暗線５１の断面線の最も左辺の開始端が図７（ａ）のＸ軸の相対位置１に対応し、且つ図６の第一凸部パターン５２１の断面線の最も左辺の開始端及び第一メイン暗線５１の断面線の最も左辺の開始端の両者が接続されて第一方向Ｙに平行する。
【００３９】
図７（ａ）によると、Ｒ１は赤色の第一副画素の図６の金属パッドパターン５２の第一凸部パターン５２１の第二方向Ｘにおける断面線の波形であり、Ｒ２は第一メイン暗線５１の第二方向Ｘにおける他の断面線の波形である。
図７（ｂ）によると、Ｇ１は緑色の第三副画素の第一凸部パターン５２１の第二方向Ｘにおける断面線の波形であり、Ｇ２は第一メイン暗線５１の第二方向Ｘにおける他の断面線の波形である。
図７（ｃ）によれば、Ｂ１は青色の第二副画素の第一凸部パターン５２１の第二方向Ｘにおける断面線の波形であり、Ｂ２は第一メイン暗線５１の第二方向Ｘにおける他の断面線の波形である。
図７（ｄ）では、Ｙ１は黄色の第四副画素の第一凸部パターン５２１の第二方向Ｘにおける断面線の波形であり、Ｙ２は第一メイン暗線５１の第二方向Ｘにおける他の断面線の波形である。
図７（ａ）から図７（ｄ）に示すように、赤色、緑色、青色或いは黄色のどの副画素であっても、第一偏移量は第二偏移量とは異なる。
このほか、図７（ａ）及び図７（ｃ）に示すように、赤色画素の第一偏移量或いは第二偏移量は、青色画素の第一偏移量或いは第二偏移量より大きく、換言すれば、赤色画素の第一距離或いは第二距離は、青色画素の第一距離或いは第二距離より大きい。
図７（ａ）及び図７（ｂ）に示すように、赤色画素の第一偏移量或いは第二偏移量は、緑色画素の第一偏移量或いは第二偏移量より大きく、換言すれば、赤色画素の第一距離或いは第二距離は緑色画素の第一距離或いは第二距離より大きい。
且つ、図７（ａ）及び図７（ｄ）に示すように、赤色画素の第一偏移量或いは第二偏移量は、黄色画素の第一偏移量或いは第二偏移量より大きく、換言すれば、赤色画素の第一距離或いは第二距離は黄色画素の第一距離或いは第二距離より大きい。
【００４０】
第２実施形態
図８（ａ）から図８（ｄ）は、本発明の第２実施形態の表示パネルの赤、緑、青、黄の副画素において、第一メイン暗線と金属パッドパターンの透過率測定の結果図である。
薄膜トランジスタ基板構造は、図２（ｂ）に示すように、前述の暗線波形の測定方法により測定を行う。
同様に、第２実施形態に係る表示パネル中の各色の副画素の第一偏移量(第一距離)及び第二偏移量(第二距離)の関係は第１実施形態と同じである。
【００４１】
第３実施形態
図９（ａ）から図９（ｄ）は、本発明の第３実施形態の表示パネルの赤、緑、青、黄の副画素において、第一メイン暗線と金属パッドパターンの輝度測定の結果図である。
薄膜トランジスタ基板構造は、図２（ｂ）に示すように、前述の暗線波形の測定方法により測定を行う。
同様に、第３実施形態に係る表示パネル中の各色の副画素の第一偏移量(第一距離)及び第二偏移量(第二距離)の関係は第１実施形態と同じである。
【００４２】
以上が、第１実施形態乃至第３実施形態の第一メイン暗線と金属パッドパターンの第一凸部パターンとの間の相対的な偏移量の比較である。
同様に、図４（ｂ）、図５及び図６に示すように、暗線パターンは、第二光配向層２１の異なる方向の配向の境界箇所に位置されると共に第二方向Ｘに向けて延伸される第二メイン暗線５３をさらに備える。
また、図５及び図６に示すように、金属パッドパターン５２は、十字型パターンであり、第二方向Ｘに向けて延伸される第二凸部パターン５２２を有する。
また、第二メイン暗線５３と第二凸部パターン５２２との間の偏移量の関係は、好ましくは、前述の第一メイン暗線５１と第一凸部パターン５２１との間の偏移量の関係と同じであり、よって再述は省く。
【００４３】
比較例
図１０は、本発明における比較例の薄膜トランジスタ基板を示す概念図である。その構造は、図２（ａ）に示す実施形態の薄膜トランジスタ基板構造と同じであるが、比較例の薄膜トランジスタ基板は金属パッドを具備しない。
【００４４】
図２（ａ）に示す実施形態及び図１０に示す比較例の薄膜トランジスタ基板の表示パネルを比較すると、以下の表１及び図１１に示す結果図が得られる。
これは、実施形態及び比較例の表示パネルの異なる金属パッドの大きさ及び相関値の関係図であり、相関値は以下の方程式により定義される。
ＣＲ（コントラスト）＝Ｗ（明状態）/Ｄ（暗状態）
【００４５】
【表１】
2016114936.tif 000003
【００４６】
図１１及び表１の結果に示すように、表示パネルには凸部を有する金属パッドが設置され、光線が副画素を通過する場合は対応して凸部パターンを有する金属パッドパターンが発生し、これにより光線が副画素を未通過の場合は暗状態を呈し、表示パネルの輝度がさらに低下し、暗状態の透過率を低下させることで暗状態のコントラストを高めて、表示パネル全体のコントラストを向上させ、表示パネルの表示品質をさらに高める。また、第一／第二偏移量或いは第一／第二距離を調整することで、副画素の色度をさらに改変させて表示パネルを寒色系或いは暖色系に調整させる。
【００４７】
このほか、第一基板上の金属パッドの形状をさらに調整することで、異なる金属パッドパターンを発生させる。
たとえば、図１２（ａ）に示す本発明の好ましい他の実施形態に係る暗線パターン中の金属パッドパターンは、Ｔ字型である。
図１２（ｂ）に示す本発明の好ましい他の実施形態に係る暗線パターン中の金属パッドパターンは、Ｌ字型である。
然しながら、本発明はこれらのパターンに制限されず、前述の暗状態の透過率の低下を達成させると共に前述の第一／第二偏移量或いは第一／第二距離の関係を有するものであればよい。
【００４８】
さらに、本発明の前述の実施形態で製造される表示装置は、本技術分野の表示スクリーンが必要なあらゆる既知の電子装置に応用可能であり、例えば、表示器、携帯電話、ノートパソコン、ビデオカメラ、カメラ、音楽プレーヤー、ナビゲーション装置、テレビ等に応用される。
【００４９】
上述の実施形態は、本発明の技術思想及び特徴を説明するためのものにすぎず、当該技術分野を熟知する者に本発明の内容を理解させると共にこれをもって実施させることを目的とし、本発明の特許請求の範囲を限定するものではない。
従って、本発明の精神を逸脱せずに行う各種の同様の効果をもつ改良又は変更は、後述の請求項に含まれるものとする。
【符号の説明】
【００５０】
１  第一基板
１０  表示パネル
１１１  走査線
１１２  資料線
１１３  薄膜トランジスタユニット
１１３１  ゲート
１１３２  絶縁層
１１３３  半導体層
１１３４  ソース
１１３５  ドレイン
１１３６  保護層
１１３７  接触孔
１１４  保存電極
１１４ａ  金属パッド
１１４１  凸部
１１５  画素電極
１２  第一光配向層
２  第二基板
２０  バックライトモジュール
２１  第二光配向層
３  液晶層
５  シーラント剤
５１  第一メイン暗線
５１ａ  第一側辺
５１ｂ  第二側辺
５１１  第一メイン暗線境界点
５１２  第二メイン暗線境界点
５２  金属パッドパターン
５２ａ  第三側辺
５２ｂ  第四側辺
５２１  第一凸部パターン
５２２  第二凸部パターン
５２３  第一金属パッドパターン暗線境界点
５２４  第二金属パッドパターン暗線境界点
５３  第二メイン暗線
Ｄ１  第一距離
Ｄ２  第二距離
Ｘ  第二方向
Ｙ  第一方向
Ｐ１、Ｐ２、Ｐ３、Ｐ４ 副画素
【図１】
2016114936.tif 000004
【図２】
2016114936.tif 000005
【図３】
2016114936.tif 000006
【図４】
2016114936.tif 000007
【図５】
2016114936.tif 000008
【図６】
2016114936.tif 000009
【図７】
2016114936.tif 000010
【図８】
2016114936.tif 000011
【図９】
2016114936.tif 000012
【図１０】
2016114936.tif 000013
【図１１】
2016114936.tif 000014
【図１２】
2016114936.tif 000015